(57)【要約】【課題】従来は取引操作の各場面により音声ガイダンスの音量や内容が可変でなく一定であったため、きめ細かい音量の変更には対応していなかった。本発明は、取引操作の各場面において、出力する音声ガイダンスや画面ガイダンスの種類、利用者の操作スピードに応じて音量および音声ガイダンスの内容の変更を行えるようにする。【解決手段】取引操作の場面によりあらかじめ設定された重要度レベルや、利用者の操作スピードにより、出力する音声ガイダンスの音量や内容を切替えて出力する。【選択図】図５
2008146272.tif 000002
【特許請求の範囲】
【請求項１】
カード情報の読み書きおよび明細票への印字を行うカード・明細票機構手段と通帳情報の読み書きおよび印字を行う通帳機構手段を有し、紙幣の入出金を自動的に取引する自動取引装置であって、利用者が選択した取引種類により画面ガイダンスおよび音声ガイダンスで操作誘導を行う自動取引装置において、画面ガイダンス毎に重要度レベルを設定する手段を有し、重要度レベルにより音声ガイダンスの音量を変更することを特徴とする自動取引装置。
【請求項２】
重要度レベルによる音声ガイダンスの音量設定を、係員操作により装置毎に設定する手段を有することを特徴とする請求項１記載の自動取引装置。
【請求項３】
重要度レベルの設定を音声ガイダンス別に設定する手段を有することを特徴とする請求項１記載の自動取引装置。
【請求項４】
利用者の操作スピードにより、音声ガイダンスの音量を変更する手段を有することを特徴とする請求項１記載の自動取引装置。
【請求項５】
利用者の操作スピードにより、音声ガイダンスのスピードを変更する手段を有することを特徴とする請求項１記載の自動取引装置。
【請求項６】
利用者の操作スピードにより、音声ガイダンスの内容を変更する手段を有することを特徴とする請求項１記載の自動取引装置。
【請求項７】
重要度レベルにより、音声ガイダンスの音質を変更する手段を有することを特徴とする請求項１記載の自動取引装置。
【発明の詳細な説明】
【技術分野】
【０００１】
本発明は、郵便局、銀行等の金融機関で種々の取引が可能な現金自動取引装置に関するものである。
【背景技術】
【０００２】
周囲の騒音に応じ、音声ガイダンスの音量を自動的に調整する手段を有する『自動取引装置』を開示する。
【０００３】
【特許文献１】特開平7-28916号公報『自動取引装置』
【発明の開示】
【発明が解決しようとする課題】
【０００４】
上述した従来技術によれば、周囲の騒音に応じて音声ガイダンスの音量を調整する機能のみであり、画面ガイダンス別、音声ガイダンス別、および利用者の操作スピードに応じたきめ細かい音量の変更には対応していない発明である。
【０００５】
本発明は、上述した課題を解決し、金融機関等に設置されているような現金自動取引装置（又はＡＴＭ、自動取引装置）において、操作に応じて利用者が必要とする適当な音量の音声ガイダンスを出力することを目的とする。
【課題を解決するための手段】
【０００６】
本発明は、上述した少なくとも１以上の目的を解決するために、以下に列挙された手段、構成等を採用する。なお、以下に示す列挙された事項は、全て備える必要があるというものではなく、適宜、２以上の事項を組み合わせても良い。以下、特に本発明に特有の特徴事項を列挙する。
【０００７】
現金自動取引装置で出力する画面ガイダンス毎または音声ガイダンス毎に、あらかじめ重要度レベル０〜ｎ（ｎは任意の値）を定義する。
【０００８】
重要度レベル別の音量を装置毎に変更する場合は、係員操作により重要度レベル別の音量を設定する。
【０００９】
また、利用者の操作スピード毎に出力音声ガイダンスの音量を変更する場合は、操作スピード毎の音量を定義する。
【００１０】
さらに、利用者の操作スピード毎に出力する音声ガイダンスのスピードや文言内容を変更する場合は、操作スピード毎の音声ガイダンススピードや文言を定義する。
【００１１】
利用者は現金自動取引装置において取引を選択する。
【００１２】
現金自動取引装置は、利用者の選択した取引情報に基づき、画面ガイダンスや音声ガイダンスで取引操作の誘導を行う。
【００１３】
画面ガイダンスを出力する際、画面ガイダンスにあらかじめ定義された重要度レベル０〜ｎに従い、対応する音声ガイダンスの音量を決定し出力する。
【００１４】
同様に、音声ガイダンスを出力する際、音声ガイダンスにあらかじめ定義された重要度レベル０〜ｎに従い音量を決定し出力する。
【００１５】
画面ガイダンスと音声ガイダンスの両方に重要度レベルが定義されている場合は、より重要度レベルの高い方に従う、あるいは２つの重要度レベルを足し合わせた値に従う等、あらかじめ決められた方法により音量を決定し出力する。
【００１６】
また、係員操作により重要度レベル別の音量が設定されている場合は、その設定に従った音量で音声ガイダンスを出力する。
【００１７】
利用者の操作スピードにより出力する音声ガイダンスの音量、スピードまたは音声ガイダンスの文言内容があらかじめ定義されている場合は、その定義に従い音声ガイダンスを出力する。
【発明の効果】
【００１８】
本発明によれば、取引の種類・操作内容・利用者の操作スピードにより音声ガイダンスの音量を変更し、自動取引装置に不慣れな高齢者などへは音声ガイダンスによるより親切な操作誘導を行うことができると共に、操作に慣れた利用者に対しては音声ガイダンスの煩さから開放することができる。
【発明を実施するための最良の形態】
【００１９】
以下、本発明による現金自動取引装置（ＡＴＭ：Ａｕｔｏｍａｔｅｄ  Ｔｅｌｌｅｒ  Ｍａｃｈｉｎｅｓ、または単に自動取引装置とも言う）において取引を実行する実施形態について、図面を参照して詳細に説明する。
【００２０】
図１は現金自動取引装置１で取引を実行する際の操作の流れを示す。
【００２１】
図２はホストに通信網を介して接続されたＡＴＭを含むシステムを示す図面を示し、図３は図２に示されるシステムの内部ブロック図を示す。
【００２２】
現金自動取引装置１は、現金の出金や入金取引等を行う機能を持ちホスト回線接続部９によりホストコンピュータ１１に接続されている。この現金自動取引装置１は、利用者の要求する種々の取引を自動的に実行する装置であって、それらの取引に関する操作案内（画面ガイダンス）を画面に表示し、利用者の操作や指で押下された入力を受け付け、検出する操作部３を有する。なお、この操作部３はタッチパネル等により構成された入力兼表示部（入力表示部とも言う）が望ましく、様々な情報を表示画面に表示する。この表示画面に含まれる色々な項目への押下も勿論検知する。また、操作部３に表示する操作案内を補助するための手段として音声での操作案内（音声ガイダンス）を出力するための音声出力部８を有する。
【００２３】
現金自動取引装置１の取引時に使用されるキャッシュカード等の挿入、排出動作、或いはカードに付加された磁気ストライプ情報（ＭＳ：Ｍａｇｎｅｔｉｃ  Ｓｔｒｉｐｅ）を読取り又は書込み機能（磁気ヘッド、磁気読書部）およびカードエンボス部分のイメージの読取り機能を有するカード機構部４と、取引した内容を印字部により明細票に印字し、装置内から排出する明細票機構部４とを有する。図２に示すようにカード機構部と明細票機構部とはカード及び明細票を同時に利用者に渡せるように、同ユニット上に設けられるのが望ましい。更に、種々の取引時に使用される通帳の挿入、排出やその通帳への印字部による印字動作や通帳に貼付された磁気ストライプ情報を磁気ヘッドにて読み取るなどの処理を実行する通帳機構部５もある。
【００２４】
他に現金自動取引装置１は、紙幣又は硬貨（媒体）の入金又は／及び出金機能、媒体の鑑別や媒体の搬送、収納を実行する紙幣入出金機構部６、硬貨入出金機構部７を備え、さらに、操作部３に表示する画面ガイダンスファイル群である画面ガイダンスファイル部１２と、音声出力部８から出力する音声ガイダンスファイル群である音声ガイダンスファイル部１３を有する。そして、これら各部（機構或いは部を手段とも言う。以下同じ。）は制御部２によってその処理が制御される。
【００２５】
図４は画面ガイダンスファイル部１２および音声ガイダンスファイル部１３のデータ内容を示し、画面ガイダンスファイル部は画面番号２０、画面データ２１、重要度レベル２２から構成される。音声ガイダンスファイル部１３は、音声番号２３、音声データ２４、重要度レベル２５およびから補助音声データ２６で構成されている。
【００２６】
図５は音声ガイダンス出力時に音声ガイダンスの音量および内容を決定するための内部処理を示す。
【００２７】
図６は、重要度レベルに応じた音声ガイダンスの音量を係員操作により設定する場合の係員操作画面（３００）を示す。
【００２８】
図１、図５および図６に基づいてＡＴＭにおける取引の音声ガイダンス出力処理を説明する。尚、本実施例では残高照会を例に説明する。
【００２９】
現金自動取引装置１の操作部３はＧ０１〔いらっしゃい〕の初期画面を表示し、音声出力部８は音０１〔いらっしゃい〕を出力する。利用者は複数表示されている選択キーの中から「照会」を選択することで取引を開始する（ステップ１００〜ステップ１０２）。「照会」が選択されると、現金自動取引装置１はＧ０２〔カード入〕／音０２〔カード入〕を出力し（ステップ１０３）、利用者は両ガイダンスに従い、カード機構部・明細票印字部４にカードを挿入する（ステップ１０４）。カードが挿入されると、現金自動取引装置１はＧ０３〔暗証入〕／音０３〔暗証入〕を出力（ステップ１０５）する。このとき、Ｇ０２〔カード入〕／音０２〔カード入〕を出力してから（ステップ１０３）、利用者がカード機構部・明細票印字部４にカードを挿入する（ステップ１０４）までの時間により、次のような手段で出力する音０３〔暗証入〕の内容を変更してもよい。あらかじめ設定された限度時間を１０秒とした場合、Ｇ０２〔カード入〕／音０２〔カード入〕を出力してから（ステップ１０３）、利用者がカード機構部・明細票印字部４にカードを挿入する（ステップ１０４）までの時間が０〜１０秒未満であれば、音声ガイダンスファイル部１２に設定された音声データ２４を出力し（ステップ２０４）、１０秒以上であれば補助音声データ２６を出力する（ステップ２０５）。
【００３０】
利用者は操作部３より暗証番号を入力する（ステップ１０６）。暗証番号が入力されると、現金自動取引装置１は入力された暗証番号が正しいか否かのチェックを行い（ステップ１０７）、チェック結果がＮＧの場合は（ステップ１０８）、Ｇ０４〔暗証再入〕／音０３〔暗証入〕を出力し（ステップ１０９）、暗証番号の再入力を誘導する（ステップ１１０）。暗証番号が正しく入力されるとホストコンピュータ１１と交信を行い（ステップ１１１、ステップ１１２）、ホストコンピュータ１１との交信の結果を操作部３に表示する（ステップ１１３）。利用者が操作部３に表示された内容を確認し「確認」を押すと（ステップ１１４）、カード機構部・明細票印字部４よりカードを放出して当該取引を終了する（ステップ１１５、ステップ１１６）。
【００３１】
上記取引の流れにおいて、音声ガイダンスを出力する際の音量決定の処理方式について、Ｇ０４〔暗証再入〕／音音０３〔暗証入〕を例に説明する。画面ガイダンスＧ０４に定義付けされた重要度レベルＬ３（ステップ２００）と音声ガイダンス音０３に定義付けされた重要度レベルＬ２（ステップ２０１）を比較し、より重要度レベルの高い画面ガイダンスＧ０４の重要度レベルＬ３を優先して、Ｇ０４〔暗証再入〔／音音０３〔暗証入〕を出力する際の重要度レベルはＬ３とする（ステップ２０２）。または別の方式として、画面ガイダンスＧ０４に定義付けされた重要度レベルＬ３（ステップ２００）と音声ガイダンス音０３に定義付けされた重要度レベルＬ２（ステップ２０１）を足し合わせて、Ｇ０４〔暗証再入〕／音音０３〔暗証入〕を出力する際の重要度レベルはＬ５とすることも可能である（ステップ２０３）。以上より算出された重要度レベルと、あらかじめ設定された各重要度レベル別の音量に従い、出力する音声ガイダンスの音量を決定する。重要度レベル別の音量を係員操作により設定する場合は、係員操作画面３００で設定された内容に従い、重要度レベルがＬ３の場合は音量０５（ステップ３０１）、重要度レベルがＬ５の場合は音量２０（ステップ３０２）で音声ガイダンスを出力する。
【図面の簡単な説明】
【００３２】
【図１】現金自動取引装置における取引の全体処理を示すフロー図。
【図２】現金自動取引装置概要図。
【図３】現金自動取引装置の内部構成図。
【図４】画面ガイダンスファイル部のデータ内容。
【図５】重要度レベル算出の内部処理図。
【図６】音声ガイダンスの音量を決定するための係員操作画面。
【符号の説明】
【００３３】
１…現金自動取引装置、２…制御部、３…操作部、４…カード機構部・明細票機構部、５…通帳機構部、６…紙幣入出金機構部、７…硬貨入出金機構部、８…音声出力部、９…ホスト回線接続部、１１…ホストコンピュータ、１２…画面ガイダンスファイル部、１３…音声ガイダンスファイル部、２０…画面番号、２１…画面データ、２２…重要度レベル（画面）、２３…音声番号、２４…音声データ、２５…重要度レベル（音声）、２６…補助音声データ、３００…係員操作画面。
【図１】
2008146272.tif 000003
【図２】
2008146272.tif 000004
【図３】
2008146272.tif 000005
【図４】
2008146272.tif 000006
【図５】
2008146272.tif 000007
【図６】
2008146272.tif 000008